(57)【要約】【課題】チューブの流路を閉塞する際に、強い力を加えなくてもチューブの流路を確実に閉塞できるクランプを提供すること。【解決手段】基部２と可動部３とを有し、可動部３は、上部Ｕ側に押圧補助部（１０、２０）を形成し、押圧補助部（１０、２０）は、少なくとも頂部（１０Ｔ、２０Ｔ）もしくは天面部（１０ＰＬ、２０ＰＬ）のどちらか一方を有する。または頂部（１０Ｔ、２０Ｔ）と天面部（１０ＰＬ、２０ＰＬ）の両方を有してもよい。頂部（１０Ｔ、２０Ｔ）を有する場合は、当該頂部（１０Ｔ、２０Ｔ）の基端ＰＥ側に基端側傾斜部（１０ＴＰＥ、２０ＴＰＥ）を有する。【選択図】図１
2015228882.tif 000002
【特許請求の範囲】
【請求項１】
基部（２）と可動部（３）とを有し、
前記基部（２）は基端（ＰＥ）側に、基端連結部（７ＰＥ）を形成し、当該基端連結部（７ＰＥ）は、基端開口部（ＯＰＥ）を形成し、
前記基部（２）は末端（ＤＥ）側に、末端連結部（７ＤＥ）を形成し、当該末端連結部（７ＤＥ）は、末端開口部（ＯＰＥ）を形成し、
前記基端連結部（７ＰＥ）の上部（Ｕ）側に前記可動部（３）を形成し、
前記末端連結部（７ＤＥ）の上部（Ｕ）側に基部側係合部（９）を形成し、
前記基部（２）は、上部（Ｕ）側に基部側チューブ押圧部（５）を形成し、当該基部側チューブ押圧部（５）は、上部（Ｕ）側に基部側チューブ押圧部突部（５Ｔ）を形成し、
前記可動部（３）は、末端（ＤＥ）側に可動部側係合部（８）を形成し、
前記可動部（３）は、下部（Ｄ）側に可動部側チューブ押圧部（６）を形成し、
当該可動部側チューブ押圧部（６）は、下部（Ｄ）側に可動部側チューブ押圧部突部（６Ｔ）を形成し、
前記可動部（３）は、上部Ｕ側に押圧補助部（１０、２０）を形成し、
押圧補助部（１０、２０）は、少なくとも頂部（１０Ｔ、２０Ｔ）もしくは天面部（１０ＰＬ、２０ＰＬ）のどちらか一方を有し、または頂部（１０Ｔ、２０Ｔ）と天面部（１０ＰＬ、２０ＰＬ）の両方を有し、
前記頂部（１０Ｔ、２０Ｔ）を有する場合は、当該頂部（１０Ｔ、２０Ｔ）の基端（ＰＥ）側に基端側傾斜部（１０ＴＰＥ、２０ＴＰＥ）を有することを特徴とするクランプ（１、１１）。
【請求項２】
可動部（３）天面の末端（ＤＥ）−基端（ＰＥ）の延長線を、延長線（ＨＬ３）と定め、
基端側傾斜（１０ＴＰＥ、２０ＴＰＥ）の末端（ＤＥ）−基端（ＰＥ）の延長線を、延長線（ＴＬ）と定め、
前記延長線（ＴＬ）と前記延長線（ＨＬ３）の交わる角度を、角度（θ１）と定めると、
当該角度（θ１）は、１０°〜６０°に形成したことを特徴とする請求項１に記載のクランプ（１、１１）。
【請求項３】
基部（２）天面の末端（ＤＥ）−基端（ＰＥ）の延長線を、延長線（ＨＬ２）と定め、
基部側チューブ押圧部突部（５Ｔ、１５Ｔ）の最上点を支点（５ＴＰ）と定め、
延長線（ＨＬ２）と上部（Ｕ）−下部（Ｄ）方向に略垂直に交差し、かつ基部側チューブ押圧部突部（５Ｔ、１５Ｔ）の支点（５ＴＰ）上を通過する延長線を、延長線（ＶＬ５）と定め、
可動部（３）の最末端（ＤＥ）側の位置を、位置ＰＳ：０と定め、
可動部（３）の最基端（ＰＥ）側の位置を、位置ＰＳ：１００と定めると、
頂部（１０Ｔ、２０Ｔ）は、位置ＰＳ：１５〜６０の間に位置することを特徴とする請求項１または請求項２に記載のクランプ（１、１１）。
【請求項４】
延長線（ＨＬ３）と上部（Ｕ）−下部（Ｄ）方向に略垂直に交差する延長線を、延長線（ＶＬ３）と定め、
頂部（１０Ｔ、２０Ｔ）から延長線（ＶＬ３）と略平行に可動部（３）天面まで伸ばした距離を、押圧補助部（１０、２０）の高さ（Ｈ）と定め、
（Ｎ）：可動部（３）の末端（ＤＥ）−基端（ＰＥ）の長さを、長さ（Ｌ１）と定め、
長さ（Ｌ１）：１００に対して、押圧補助部（１０、２０）の高さ（Ｈ）は、２０〜５０に形成したことを特徴とする請求項１から請求項３のいずれか１項に記載のクランプ（１、１１）。
【請求項５】
可動部（３）の第１側部（Ｓ１）‐第２側部（Ｓ２）方向の長さを、長さ（Ｌ２）と定め、
押圧補助部（１０）の第１側部（Ｓ１）‐第２側部（Ｓ２）方向の長さを、長さ（Ｌ３）と定め、
長さ（Ｌ２）：１００に対して、長さ（Ｌ３）は、９５〜１０５に形成したことを特徴とする請求項１から請求項４のいずれか１項に記載のクランプ（１、１１）。
【請求項６】
押圧補助部（１０、２０）は、略三角形状、略四角状、湾曲した傾斜を有する形態のいずれかに形成し、これらのうち少なくとも一個または複数からなることを特徴とする請求項１から請求項５のいずれか１項に記載のクランプ（１、１１）。
【請求項７】
可動部側係合部（８、１８）にガイド部（１８Ｇ）を形成したことを特徴とする請求項１から請求項６のいずれか１項に記載のクランプ（１、１１）。
【請求項８】
基部側係合部（９）は、基部側係合補助部（９Ｈ）と基部側係合壁（９Ｗ）を有することを特徴とする請求項１から請求項７のいずれか１項に記載のクランプ（１）。
【請求項９】
可動部側係合部（１８）は、可動部側係合補助部（１８Ｈ）と可動部側係合壁（１９Ｗ）とを有し、
基部側係合部（１９）は、基部側係合補助部（１９Ｈ）と基部側係合壁（１９Ｗ）とを有することを特徴とする請求項１から請求項８のいずれか１項に記載のクランプ（１１）。
【発明の詳細な説明】
【技術分野】
【０００１】
本発明は、クランプの改良に関し、クランプに挿通したチューブの流路を閉塞する際に、クランプに強い力を加えなくてもチューブを確実に閉塞できるクランプの改良に関する。
本発明のクランプは、例えば、血液チューブを有する体液循環回路（例えば血液透析用回路、血液浄化用回路等）、血液バッグを有する血液採取器具（血液保存器具）、輸液（薬液）バッグを有する医薬品関連器具（例えば、高カロリー輸液容器、薬液容器）、輸液・輸血セット等の各種医療用具の構成部品であるチューブの途中に装着して、好適に使用することができる。
【背景技術】
【０００２】
従来の公知のクランプとして、図１５〜図１６に示すクランプ（以下、公知クランプ１０１）が汎用されている。
また出願人は、特許文献１に、クランプに挿通したチューブの流路を閉塞する際に、チューブのガタツキがなく確実に閉塞でき、さらにチューブの流路の閉塞状態を長時間、維持継続できるクランプ（以下、公知クランプ２０１）を開示した。
【先行技術文献】
【特許文献】
【０００３】
【特許文献１】特開２０１３−１７６５４３号公報（特許請求の範囲、図１〜図１０参照）
【発明の概要】
【発明が解決しようとする課題】
【０００４】
公知クランプ１０１の使用方法について、図１５〜図１６を用いて説明する。（なお可動部１０３の天面の末端ＤＥ−基端ＰＥの延長線をＨＬ１０３、基部１０２底面の末端ＤＥ−基端ＰＥの延長線をＨＬ１０２、延長線ＨＬ１０２と上部Ｕ−下部Ｄ方向に略垂直に交差する延長線をＶＬ１０２とする。）
【０００５】
（１）操作する者（医師または看護士）は、図１５に示すように、可動部１０３の末端ＤＥ側の天面［複数の微小突起がある部分がいわゆる「押圧部」となっている］を親指、基部１０２の末端ＤＥ側を人差指で保持し、延長線ＨＬ１０３が、延長線ＨＬ１０２と実質的に平行となるように、延長線ＶＬ１０２に沿うように親指で、矢印方向（下部垂直方向）に力を加える。（図１６矢印〈１〉方向参照。）
（２）可動部側係合部１０８が図１６矢印〈２〉のように、下部Ｄ方向である基部側係合部１０９の方向に移動し、基部側係合部１０９を末端ＤＥ側に押して、矢印〈３〉のように末端ＤＥ側に変形させる。
（３）可動部側係合部１０８を矢印〈４〉のように下部Ｄ側に押して、可動部側係合部１０８の頂部１０８Ｔが、基部側係合補助部１０９Ｈを乗り越えたら、矢印〈５〉のようにさらに末端ＤＥ側に押して、可動部側係合部１０８の頂部１０８Ｔを、基部側係合壁１０９Ｗに係合する。これによりチューブＴの液体流路は閉塞される。
【０００６】
公知のクランプ１０１は、可動部１０３の末端ＤＥ側の天面がいわゆる「押圧部」となり、図１６の矢印〈２〉のように上部Ｄ方向から可動部側係合部１０８の頂部１０８Ｔが、矢印〈３〉のように、基部側係合部１０９を末端ＤＥ側に押して広げることになる。
この時、可動部側係合部１０８の頂部１０８Ｔは、基部側係合部１０９の頂部１０９Ｔないし頂部１０９Ｔ近傍に接触し、続いて頂部１０９Ｔないし頂部１０９Ｔ近傍から基端側壁１０９ＷＰＥに接触しながら、基部側係合部１０９を押して広げる。
このように上部Ｄ方向から可動部側係合部１０８の最末端ＤＥ（頂部１０８Ｔ）で、基部側係合部１０９を押して広げるので、これにより強い力が必要となる。
このため図１６の矢印〈４〉、〈５〉への移行も困難となる。ひいては、クランプ１０１に挿通したチューブＴの流路を閉塞する際に、クランプ１０１に強い力を加える必要があり、係合しずらかった。特に指先の力の弱い看護士からは、係合しずらいという指摘があった。
特許文献１に記載の公知クランプ２０１も同様の課題が指摘されていた。
【課題を解決するための手段】
【０００７】
そこで本発明者は、以上の課題を解決するために鋭意検討を重ねた結果、次の発明に到達した。
［１］本発明は、基部（２）と可動部（３）とを有し、
前記基部（２）は基端（ＰＥ）側に、基端連結部（７ＰＥ）を形成し、当該基端連結部（７ＰＥ）は、基端開口部（ＯＰＥ）を形成し、
前記基部（２）は末端（ＤＥ）側に、末端連結部（７ＤＥ）を形成し、当該末端連結部（７ＤＥ）は、末端開口部（ＯＰＥ）を形成し、
前記基端連結部（７ＰＥ）の上部（Ｕ）側に前記可動部（３）を形成し、
前記末端連結部（７ＤＥ）の上部（Ｕ）側に基部側係合部（９）を形成し、
前記基部（２）は、上部（Ｕ）側に基部側チューブ押圧部（５）を形成し、当該基部側チューブ押圧部（５）は、上部（Ｕ）側に基部側チューブ押圧部突部（５Ｔ）を形成し、
前記可動部（３）は、末端（ＤＥ）側に可動部側係合部（８）を形成し、
前記可動部（３）は、下部（Ｄ）側に可動部側チューブ押圧部（６）を形成し、
当該可動部側チューブ押圧部（６）は、下部（Ｄ）側に可動部側チューブ押圧部突部（６Ｔ）を形成し、
前記可動部（３）は、上部Ｕ側に押圧補助部（１０、２０）を形成し、
押圧補助部（１０、２０）は、少なくとも頂部（１０Ｔ、２０Ｔ）もしくは天面部（１０ＰＬ、２０ＰＬ）のどちらか一方を有し、または頂部（１０Ｔ、２０Ｔ）と天面部（１０ＰＬ、２０ＰＬ）の両方を有し、
前記頂部（１０Ｔ、２０Ｔ）を有する場合は、当該頂部（１０Ｔ、２０Ｔ）の基端（ＰＥ）側に基端側傾斜部（１０ＴＰＥ、２０ＴＰＥ）を有するクランプ（１、１１）を提供する。
【０００８】
［２］本発明は、可動部（３）天面の末端（ＤＥ）−基端（ＰＥ）の延長線を、延長線（ＨＬ３）と定め、
基端側傾斜（１０ＴＰＥ、２０ＴＰＥ）の末端（ＤＥ）−基端（ＰＥ）の延長線を、延長線（ＴＬ）と定め、
前記延長線（ＴＬ）と前記延長線（ＨＬ３）の交わる角度を、角度（θ１）と定めると、
当該角度（θ１）は、１０°〜６０°に形成した［１］に記載のクランプ（１、１１）を提供する。
［３］本発明は、基部（２）天面の末端（ＤＥ）−基端（ＰＥ）の延長線を、延長線（ＨＬ２）と定め、
基部側チューブ押圧部突部（５Ｔ、１５Ｔ）の最上点を支点（５ＴＰ）と定め、
延長線（ＨＬ２）と上部（Ｕ）−下部（Ｄ）方向に略垂直に交差し、かつ基部側チューブ押圧部突部（５Ｔ、１５Ｔ）の支点（５ＴＰ）上を通過する延長線を、延長線（ＶＬ５）と定め、
可動部（３）の最末端（ＤＥ）側の位置を、位置ＰＳ：０と定め、
可動部（３）の最基端（ＰＥ）側の位置を、位置ＰＳ：１００と定めると、
頂部（１０Ｔ、２０Ｔ）は、位置ＰＳ：１５〜６０の間に位置する［１］または［２］に記載のクランプ（１、１１）を提供する。
［４］本発明は、延長線（ＨＬ３）と上部（Ｕ）−下部（Ｄ）方向に略垂直に交差する延長線を、延長線（ＶＬ３）と定め、
頂部（１０Ｔ、２０Ｔ）から延長線（ＶＬ３）と略平行に可動部（３）天面まで伸ばした距離を、押圧補助部（１０、２０）の高さ（Ｈ）と定め、
（Ｎ）：可動部（３）の末端（ＤＥ）−基端（ＰＥ）の長さを、長さ（Ｌ１）と定め、
長さ（Ｌ１）：１００に対して、押圧補助部（１０、２０）の高さ（Ｈ）は、２０〜５０に形成した［１］から［３］のいずれか１つに記載のクランプ（１、１１）を提供する。
［５］本発明は、可動部（３）の第１側部（Ｓ１）‐第２側部（Ｓ２）方向の長さを、長さ（Ｌ２）と定め、
押圧補助部（１０）の第１側部（Ｓ１）‐第２側部（Ｓ２）方向の長さを、長さ（Ｌ３）と定め、
長さ（Ｌ２）：１００に対して、長さ（Ｌ３）は、９５〜１０５に形成した［１］から［４］のいずれか１つに記載のクランプ（１、１１）を提供する。
【０００９】
［６］本発明は、押圧補助部（１０、２０）は、略三角形状、略四角状、湾曲した傾斜を有する形態のいずれかに形成し、これらのうち少なくとも一個または複数からなる［１］から［５］のいずれか１つに記載のクランプ（１、１１）を提供する。
［７］本発明は、可動部側係合部（８、１８）にガイド部（１８Ｇ）を形成した［１］から［６］のいずれか１つに記載のクランプ（１、１１）を提供する。
［８］本発明は、基部側係合部（９）は、基部側係合補助部（９Ｈ）と基部側係合壁（９Ｗ）を有する［１］から［７］のいずれか１つに記載のクランプ（１、１１）を提供する。
［９］本発明は、可動部側係合部（１８）は、可動部側係合補助部（１８Ｈ）と可動部側係合壁（１９Ｗ）とを有し、
基部側係合部（１９）は、基部側係合補助部（１９Ｈ）と基部側係合壁（１９Ｗ）とを有する［１］から［７］のいずれか１つに記載のクランプ（１、１１）を提供する。
【発明の効果】
【００１０】
本発明のクランプ（１、１１）は、（斜め方向）から可動部側係合部（８、１８）の末端側壁（８ＷＤＥ、１８ＷＤＥ）で、基部側係合部（９、１９）を（斜め方向）へ押して広げるので、無理に強い力を加える必要はない。
これに続いて行う可動部側係合部（８、１８）の下部Ｄ側〜末端ＤＥ側への移動とこれに伴う基部側係合部（９、１９）の末端ＤＥ側への変形（図８、１０、１２の矢印〈４〉、〈５〉参照）を容易に行うことができ、可動部側係合部（８、１８）と基部側係合部（９、１９）との係合も軽やかに行うことができる。
以上のように、クランプ（１、１１）に挿通したチューブＴの流路を閉塞する際に、クランプ（１、１１）に強い力を加えなくてもチューブＴを確実に閉塞できる。
【図面の簡単な説明】
【００１１】
【図１】図１は本発明の第一実施例（以下、図２から図５も同じ）のクランプ１を、第１側部Ｓ１−上部Ｕ−基端ＰＥ方向から見た斜視図である。
【図２】図２は、図１のクランプ１を第１側部Ｓ１方向から見た側面図である。
【図３】図３は、図２のクランプ１の一部拡大側面図である。
【図４】図４は、図２に角度θ１等を記載した側面図である。
【図５】図５は、本発明のクランプ１の概念図である。
【図６】図６（Ａ）〜（Ｉ）は、本発明の押圧補助部１０の例を示す概略図である。
【図７】図７は、図２のクランプ１の使用方法（取扱い）を示した側面図である。
【図８】図８は、図２のクランプ１の使用方法の順序を矢印で示した側面図である。
【図９】図９は、図１のクランプ１［押圧補助部１０のみ図６（Ｈ）の形態に形成］を、第１側部Ｓ１−上部Ｕ−基端ＰＥ方向から見た斜視図である。
【図１０】図１０は、図９のクランプ１の使用方法の取り扱いと順序を矢印で示した側面図である。
【図１１】図１１は本発明の第二実施例（以下、図１２から図１４も同じ）のクランプ１１を、第１側部Ｓ１−上部Ｕ−基端ＰＥ方向から見た斜視図である。
【図１２】図１２は、図１１のクランプ１１を第１側部Ｓ１方向から見た側面図である。
【図１３】図１３は、図１２に角度θ１等を記載した側面図である。
【図１４】図１４は、図１２のクランプ１１の使用方法の順序を矢印で示した側面図である。
【図１５】図１５は、従来の公知のクランプ１０１の側面図である。
【図１６】図１６は、図１６のクランプ１０１の使用方法の順序を矢印で示した側面図である。
【発明を実施するための最良の形態】
【００１２】
本発明のクランプ（１、１１）の理解を容易にするため、以下の定義をおく。
本発明の請求項、発明の説明に付した符号は、本発明のクランプ（１、１１）の理解を容易にするために記載したものであり、符号そのものが発明を特定するものではない。
本発明のクランプ（１、１１）は、長手Ｌ方向と、当該長手Ｌ方向に略垂直に交差する上部Ｕ−下部Ｄ方向、さらに当該上部Ｕ−下部Ｄ方向に略垂直に交差する側部Ｓ方向を有する。
本発明で、「末端ＤＥ（側または方向）」とは、長手Ｌ方向の一方向を示し、例えば図１から図２に示すように、可動部側係合部８と基部側係合部９が係合する側の端部、すなわち末端連結部７ＤＥ側の端部を意味する。
【００１３】
本発明で、「基端ＰＥ（側または方向）」とは、長手Ｌ方向の一方向を示し、例えば図１から図２に示すように、「末端ＤＥ（側または方向）」とは反対側の端部、すなわち基端連結部７ＰＥ側の端部を意味する。
長手Ｌ方向は、末端ＤＥ‐基端ＰＥ方向ともいう。
【００１４】
本発明で、「第１側部Ｓ１（側または方向）」とは、側部Ｓ方向の一方向を示し、例えば図１に示すように、末端ＤＥ方向から見て、クランプ１の右側端部の方向（図の破線矢印参照）を意味する。また基端ＰＥ方向から見て、クランプ１の左側端部の方向（図の破線矢印参照）を意味する。
本発明で、「第２側部Ｓ２（側または方向）」とは、側部Ｓ方向の一方向を示し、例えば図１に示すように、末端ＤＥ方向から見て、クランプ１の左側端部の方向（図の破線矢印参照）を意味する。また基端ＰＥ方向から見て、クランプ１の右側端部の方向（図の破線矢印参照）を意味する。
【００１５】
本発明で、「上部Ｕ（側または方向）」とは、側部Ｓ方向の一方向を示し、例えば図１から図２に示すように、例えば上方向に延びる方向（図の破線参照）を意味する。
本発明で、「下部Ｄ（側または方向）」とは、側部Ｓ方向の一方向を示し、例えば図１から図２に示すように、例えば下方向に延びる方向（図の破線参照）を意味する。
【００１６】
［クランプ（１、１１）］
本発明の第一実施例のクランプ１は図１から図１０、第二実施例のクランプ１１は図１１から図１４に記載した。
以下、図１〜図１４を参照しながら説明する。
第二実施例のクランプ１１の説明と図面は、符号の複雑化を回避するために、第一実施例のクランプ１と共通ないし、実質的に同じ部材は、同じ符号を使用した。
【００１７】
［第一実施例のクランプ１］          
本発明のクランプ１は、図１から図２に示すように、基部２と可動部３を有する。
本発明の説明で、このように「任意の部材（部品）」を「有する」とは、すくなくともその「任意の部材（部品）」を「持つ」、「含む」等と実質的に同じ意味である。
［基部２］
基部２は、図１から図２に示すように、下部Ｄ側に、いわゆる「略板状」に形成している。基部２は、その他に底部、基板、固定部という場合もある。
【００１８】
基部２は、基端ＰＥ側に基端連結部７ＰＥを形成している。
本発明の説明で、このように「任意の部材（部品）」の一端部に「他の部材（部品）」を「形成」しているとは、「接続」、「連結」、「延設」、「配置」等と実質的に同じ意味である。
基端連結部７ＰＥは、下部Ｄ側から基端ＰＥ側、さらに上部Ｕ側へ向けて湾曲（または屈曲ともいう）している。
基端連結部７ＰＥは、開口部ＯＰＥを形成している。
本発明の説明で、このように「任意の部材（部品）」に「開口」を「形成」しているとは、「任意の部材（部品）」の少なくとも任意の位置に、任意の形態の「開口」をすくなくとも一箇所形成していればよいことを意味する。
さらに基端連結部７ＰＥの上部Ｕ側に、可動部３を形成している。
【００１９】
基部２は、末端ＰＥ側に末端連結部７ＤＥを形成している。
末端連結部７ＤＥは、下部Ｄ側から末端ＤＥ側、さらに上部Ｕ側へ向けて湾曲している。
末端連結部７ＤＥは、末端開口部ＯＤＥを形成している。
末端連結部７ＤＥは、上部Ｕ側に基部側係合部９を形成している。
基部側係合部９は、基端ＰＥ側に、基部側係合補助部９Ｈを形成している。
基部側係合補助部９Ｈは、図１から図２の例示では、いわゆる「凸状」（または突状、突部ともいう）に形成している。基部側係合補助部９Ｈは、凹状に形成してもよい。
基部側係合補助部９Ｈ近傍の末端ＤＥ側の壁は、基部側係合壁９Ｗとしての役割を果たす。（機能する。）
【００２０】
基部２は、上部Ｕ側に基部側チューブ押圧部５を形成している。
基部側チューブ押圧部５は、上部Ｕ側に基部側チューブ押圧部突部５Ｔを形成している。
基部側チューブ押圧部５は、図１から図２に例示するように、第１側部Ｓ１方向からみて、上部Ｕ側に向けて先細りとなるように、いわゆる「略三角形状」に形成している。
さらに、基部側チューブ押圧部５は、上部Ｕ側に基部側チューブ押圧部突部５Ｔを形成している。
【００２１】
［可動部３］
可動部３は、いわゆる「略板状」に形成している。可動部３は、天上部、可動板、封止部という場合もある。
可動部３は、末端ＤＥ側に、可動部側係合部８を形成している。
可動部側係合部８は、末端ＤＥ側に向けて先細りとなるように、いわゆる「略三角形状」に形成している。
最末端ＤＥ側で上部Ｕ側に頂部８Ｔを有し、頂部８Ｔの下部Ｄ側に傾斜した末端側壁８ＷＤＥを有する。
【００２２】
可動部３は、下部Ｄ側に可動部側チューブ押圧部６を形成している。可動部側チューブ押圧部６は、図１から図２に示すように、第１側部Ｓ１方向からみて、下部Ｄ側に向けて先細りとなるように、いわゆる「略三角形状」に形成している。
さらに、可動部側チューブ押圧部６は、下部Ｄ側に可動部側チューブ押圧部突部６Ｔを形成している。
【００２３】
本発明のクランプ１の特徴は、可動部３の上部Ｕ側に押圧補助部１０を形成している点である。  
押圧補助部１０の形状は、少なくとも頂部１０Ｔもしくは天面部１０ＰＬのどちらか一方を有していればよい。または頂部１０Ｔと天面部１０ＰＬの両方を有してもよい。
頂部１０Ｔを有する場合は、当該頂部１０Ｔの基端ＰＥ側に基端側傾斜部１０ＴＰＥを有すればよい。
【００２４】
押圧補助部１０として例えば図６（Ａ）〜（Ｉ）の例が挙げられる。
図６（Ａ）の押圧補助部１０は、第１側部Ｓ１方向から見て、下部Ｄから上部Ｕ方向に立ち上り、先細りとなるように、いわゆる「略三角形状」に形成している。略三角形状のものは、頂部１０Ｔと基端側傾斜１０ＴＰＥ（頂部１０Ｔの基端側ＰＥに頂部１０Ｔから基端側ＰＥに下る）を有するものであれば、何でもよい。
図６（Ａ）の押圧補助部１０は、頂部１０Ｔの基端側ＰＥに頂部１０Ｔから基端側ＰＥに下る基端側傾斜１０ＴＰＥを有し、頂部１０Ｔの末端側ＤＥに頂部１０Ｔから末端側ＤＥに下る末端側傾斜１０ＴＤＥを有する。
【００２５】
図６（Ｂ）の押圧補助部１０は、頂部１０Ｔの末端ＤＥ側に天面部１０ＰＬを有し、当該天面部１０ＰＬの基端側ＰＥに天面部１０ＰＬから基端側ＰＥに下る基端側傾斜１０ＴＰＥを有し、天面部１０ＰＬの末端側ＤＥに略垂直に垂下する末端側壁１０ＷＤＥを有する。
図６（Ｂ）のように、天面部１０ＰＬと基端側傾斜１０ＴＰＥを有する場合は、これらの境界（天面部１０ＰＬの基端ＰＥ側と基端側傾斜１０ＴＰＥの末端ＤＥ側）が頂部１０Ｔとなる。
図６（Ｃ）の押圧補助部１０は、頂部１０Ｔの基端側ＰＥに頂部１０Ｔから基端側ＰＥに下る基端側傾斜１０ＴＰＥを有し、頂部１０Ｔの末端側ＤＥに略垂直に垂下する末端側壁１０ＷＤＥを有する。
図６（Ｄ）の押圧補助部１０は、末端側に略四角形、基端側に図６（Ｃ）の略三角形を配置したものである。双方とも頂部１０Ｔと基端側傾斜１０ＴＰＥを有する。
【００２６】
図６（Ｅ）の押圧補助部１０は、末端側に背の高い略四角形、基端側に図６（Ｃ）の略三角形を配置したものである。双方とも頂部１０Ｔと基端側傾斜１０ＴＰＥを有する。
図６（Ｆ）の押圧補助部１０は、末端側から基端側に向けて、背の高い〜低い順に、三個の略四角形を配置したものである。
図６（Ｇ）の押圧補助部１０は、末端側から基端側に向けて、なだらかに湾曲して傾斜した基端側傾斜１０ＴＰＥを有るものである。
以上のように頂部１０Ｔは、略三角形、略四角形、湾曲した傾斜を有する形態（図６（Ｇ）参照）では、最上部Ｕ側に位置する。
【００２７】
図６（Ｈ）の押圧補助部１０は、略四角形のうち第１側部Ｓ１方向から見て、下部Ｄから上部Ｕ方向に立ち上り、いわゆる「略矩形状」に形成している。
図６（Ｈ）の押圧補助部１０は、天面部１０ＰＬのみを有し、頂部１０Ｔと基端側傾斜１０ＴＰＥを有しない例である。
天面部１０ＰＬの末端側ＤＥに略垂直に垂下する末端側壁１０ＷＤＥを有し、基端側ＰＥに略垂直に垂下する基端側壁１０ＷＰＥを有する。
図６（Ｉ）の押圧補助部１０は、図６（Ｈ）の押圧補助部１０を末端側から基端側に向けて、背の高い〜低い順に、三個配置したものである。
【００２８】
図３から図５に示すように、
（Ａ）可動部３天面の末端ＤＥ−基端ＰＥの延長線をＨＬ３（以下、延長線ＨＬ３）と定める。
（Ｂ）基部２天面の末端ＤＥ−基端ＰＥの延長線をＨＬ２（以下、延長線ＨＬ２）と定める。
（Ｃ）基端側傾斜１０ＴＰＥの末端ＤＥ−基端ＰＥの延長線をＴＬ（以下、延長線ＴＬ）と定める。なお図６（Ｄ）〜（Ｆ）のように、基端側傾斜１０ＴＰＥが複数ある場合は、
最も急傾斜の基端側傾斜１０ＴＰＥを基準とする。また図６（Ｇ）のように、湾曲して傾斜したものは、最も急傾斜の箇所を基準とする。以下（Ｇ）、（Ｈ）も同じ。
（Ｄ）基部側チューブ押圧部突部５Ｔの最上点、すなわち支点を５ＴＰ（以下、支点５ＴＰ）と定める。
（Ｆ）操作する者（医師または看護士）が可動部３を押す方向をＦ（以下、操作方向Ｆ）と定める。
【００２９】
さらに図３から図５に示すように、
（Ｇ）操作方向Ｆと延長線ＴＬの交わる角度をθ（以下、角度をθ）と定める。
（Ｈ）延長線ＴＬと延長線ＨＬ３の交わる角度をθ１（以下、角度をθ１）と定める。
（Ｉ）延長線ＨＬ３と上部Ｕ−下部Ｄ方向に略垂直に交差する延長線をＶＬ３（以下、延長線ＶＬ３）と定める。
（Ｊ）延長線ＨＬ２と上部Ｕ−下部Ｄ方向に略垂直に交差し、かつ支点５ＴＰ上を通過する延長線をＶＬ５（以下、延長線ＶＬ５）と定める。
（Ｋ）頂部１０Ｔから延長線ＶＬ３と略平行に可動部３天面まで伸ばした距離（以下、押圧補助部１０の高さＨ）と定める。
【００３０】
さらに図３から図５に示すように、
（Ｌ）可動部３（可動部側係合部８）の最末端ＤＥ（頂部８Ｔ）側の位置ＰＳを０（以下、ＰＳ：０）と定める。
（Ｍ）可動部３の最基端ＰＥ側の位置ＰＳ（基端ＰＥ側の略直線部の終点、基端連結部７ＰＥの湾曲部（線）の終点）をＰＳ：１００（以下、ＰＳ：１００）と定める。
（Ｎ）可動部３の末端ＤＥ−基端ＰＥの長さ（ＰＳ：０からＰＳ：１００までの距離）をＬ１（以下、長さＬ１）と定める。
（Ｏ）可動部３の第１側部Ｓ１‐第２側部Ｓ２方向の長さ（幅ともいう）をＬ２（以下、長さＬ２）と定める。
（Ｐ）押圧補助部１０の第１側部Ｓ１‐第２側部Ｓ２方向の長さ（幅ともいう）をＬ３（以下、長さＬ３）と定める。
【００３１】
クランプ１は、硬質ないし半硬質の合成樹脂で一体成形されるが、一体成形後（製品出荷時、チューブを挟持しない状態）は、図４に示すように、延長線ＨＬ２を水平方向とすると、延長線ＨＬ３は水平方向に平行ではなく、若干傾斜している。
クランプ１は、チューブＴを閉塞する際には、図７、図８（図９、図１０）の矢印〈１〉〜〈５〉の順序で行う。
（１）操作する者（医師または看護士）は、図７に示すように押圧補助部１０の基端側傾斜１０ＴＰＥ（図１０の場合は基端側壁１０ＷＰＥの上部Ｕ側〜基部３の天面）を親指、基部２の末端ＤＥ側〜末端連結部７ＤＥの下部Ｄ（図１０の場合も実質的に同じ）を人差指で保持し、親指で、斜め方向（末端ＤＥ‐下部Ｄ方向）に力を加える。（図８、図１０矢印〈１〉方向参照。）
（２）可動部側係合部８は、矢印〈２〉のように、上部Ｕ−末端ＤＥ方向から基部側係合部９を押して、基部側係合部９を矢印〈３〉のように下部Ｄ−末端ＤＥ方向へ押して変形させる。
（３）可動部側係合部８を矢印〈４〉のように下部ＤＥ側に押して、可動部側係合部８の末端ＤＥが、基部側係合補助部９Ｈを乗り越えたら、矢印〈５〉のようにさらに末端ＤＥ側におして、可動部側係合部８の末端ＤＥを、基部側係合壁９Ｗに係合する。
【００３２】
本発明のクランプ１は、基端側傾斜１０ＴＰＥがいわゆる「押圧部」となり、これにより、図８（図１０）の矢印〈２〉のように上部Ｄ−基端ＰＥ方向（斜め方向）から可動部側係合部８が、基部側係合部９を矢印〈３〉のように下部Ｄ−末端ＤＥ方向（斜め方向）へ押して広げることができる。
この時、可動部側係合部８の頂部８Ｔは、基部側係合部９の頂部９Ｔに上部Ｕ方向から接触することなく、頂部９Ｔの下部Ｄ側（頂部下部９ＴＵ）に接触して、
末端側壁８ＷＤＥが、基端側壁９ＷＤＥに接触しながら基部側係合部９を押して広げる。
このように（斜め方向）から可動部側係合部８の末端側壁８ＷＤＥで、基部側係合部９を（斜め方向）へ押して広げるので、無理に強い力を加える必要はない。
このため図８（図１０）の矢印〈４〉、〈５〉への移行も速やかに行うことができる。
以上のように、クランプ１に挿通したチューブＴの流路を閉塞する際に、クランプ１に強い力を加えなくてもチューブＴを確実に閉塞できる。
【００３３】
以上のように本発明のクランプ１は、可動部側係合部８を基部側係合部９に係合する際に、公知のクランプ１０１のように、無理に強い力を加えなくても、係合しやすくなる。特に指先の力の弱い看護士には歓迎される。
【００３４】
（角度θ１）
角度θ１は１０°〜６０°、好ましくは１５〜４５°、より好ましくは１５〜２５°、さらに好ましくは１８〜２０°に形成するのがよい。
角度θ１は、あまり小さい（１０°未満）と係合しやすくなるという効果が期待できないし、あまり大きい（６０°を超える）と嵩張って操作性が悪くなる。
【００３５】
（押圧補助部１０の形成位置）
押圧補助部１０の形成位置は、頂部１０Ｔが図３〜図５に示すように、実質的に延長線ＶＬ５上から末端ＤＥ側に位置するように形成するのがよい。
延長線ＶＬ５上からあまり基端ＰＥ側に位置すると、最初の押す方向Ｆが可動部３の基端ＰＥ側にかたよるため、可動部側係合部８を基部側係合部９方向に移動させずらくなる。
最末端ＤＥ側にあまり近い位置、すなわち可動部側係合部８の近傍に形成すると、クランプする（チューブＴの流路を閉塞する）時に、基部側係合部９と接触し係合できなくなる。
さらに、位置ＰＳ：０〜位置ＰＳ：１００で位置を説明すると、頂部１０Ｔは、位置ＰＳ：１５〜６０、好ましくは２０〜５０、より好ましくは２５〜３５の位置に配置するのがよい。
【００３６】
（押圧補助部１０の高さＨ、可動部３と押圧補助部１０のプロポーション）
可動部３の長さＬ１を１００すると押圧補助部１０の高さＨは、１０〜５０、好ましくは２０〜３５に形成するのがよい。
高さＨがあまり小さい（１０未満）と係合しやすくなるという効果が期待できないし、あまり大きい（５０を超える）と嵩張って操作性が悪くなる。またあまり大きく（高く）なりすぎるとクランプをはずす（チューブＴの流路を開放する）時、基部側係合部９を末端ＤＥ側に押すことが困難になり操作性が悪くなる。
【００３７】
長さＬ２を１００とすると、長さＬ３は、８０〜１００、好ましくは１００であることが望ましい。
Ｌ３があまり小さい（幅が狭い）と、操作性が悪く、Ｌ３があまり大きい（幅が広い）と可動部３の第１側部Ｓ１‐第２側部Ｓ２方向に突出するため、他の部品等を傷つけるようになるので好ましくない。
【００３８】
［第二実施例のクランプ１１］
クランプ１１（第二実施例）は、可動部側係合部１８[クランプ１（第一実施例）の可動部側係合部８に対応]に、さらに一対のガイド部１８Ｇを形成し、さらに基部３[クランプ１（第一実施例）の基部３に対応]にチューブ保持部１５を形成している。
またクランプ１１（第二実施例）は、クランプ１（第一実施例）の可動部側係合部８と基部側係合部９の形態を、可動部側係合部１８と基部側係合部１９の形態に変更し、基部側チューブ押圧部突部５Ｔの形態を、基部側チューブ押圧部突部１５Ｔの形態に変更している。
なおクランプ１（第一実施例）は、可動部側係合部８に、クランプ１１（第二実施例）のように一対のガイド部１８Ｇを形成してもよい。
【００３９】
ガイド部１８Ｇは、第１側部Ｓ１側に第１側部側ガイド部１８Ｓ１Ｇを形成し、第２側部Ｓ２側に第２側部側ガイド部１８Ｓ２Ｇを形成している。
第１側部側ガイド部１８Ｓ１Ｇと第２側部側ガイド部１８Ｓ２Ｇは、図１１に例示するように、末端ＤＥ側に突設している。
【００４０】
ガイド部１８Ｇ（第１側部側ガイド部１８Ｓ１Ｇと第２側部側ガイド部１８Ｓ２Ｇ）は、いわゆる「略板状」に形成している。
第１側部側ガイド部１８Ｓ１Ｇ（第２側部側ガイド部１８Ｓ２Ｇ）は、第１側部Ｓ１（第２側部Ｓ２）方向から見れば、いわゆる「略角形状」に形成している。
すなわち、ガイド部１８Ｇは、立体的に三次元的にみればいわゆる「クワガタの角状」に形成している。
【００４１】
可動部側係合部１８は、第１側部側ガイド部１８Ｓ１Ｇと第２側部側ガイド部１８Ｓ２Ｇの間の上部Ｕ側の壁が、可動部側係合壁１８Ｗとしての役割を果たす。（図１１〜図１２参照）
可動部側係合部１８は、可動部側係合壁１８Ｗの近傍でかつ、末端ＤＥ側に可動部側係合補助部１８Ｈを形成している。可動部側係合補助部１８Ｈは、図１１の例示ではいわゆる「凸状」（または突起ともいう）に形成している。可動部側係合補助部１８Ｈは、第１側部Ｓ１から第２側部Ｓ２にわたって、連続して形成している。
可動部側係合補助部１８Ｈは、凹状（または溝部ともいう）に形成してもよい。
基部側係合部１９は、基部側係合補助部１９Ｈは、凹状に形成している。
基部側係合壁１９Ｗは、基部側係合補助部１９Ｈ近傍の基端ＰＥ側に形成している。
要するに、可動部側係合補助部１８Ｈと、基部側係合補助部１９Ｈは、お互いに係合できる形状・構造であればよい。
【００４２】
基部２は、図１１〜１２に例示するように、チューブ保持部１５を有する。
本発明の説明で、このように「任意の部材（部品）」に、「他の部材（部品）」を「有する」とは、「任意の部材（部品）」に、「他の部材（部品）」を「形成」、「接続」、「連結」、「延設」、「突設」、「配置」している等と実質的に同じ意味である。
チューブ保持部１５は、第１側部Ｓ１側に第１側壁１５ＷＳ１、第２側部Ｓ２側に第２側壁１５ＷＳ２、末端ＤＥ側から上部Ｕ側にわたって末端側壁１５ＷＤＥを形成し、基端ＰＥ側から上部Ｕ側にわたって基端側壁１５ＷＰＥをそれぞれ形成している。
さらに詳述すれば、末端側壁１５ＷＤＥは、末端ＤＥ側から上部Ｕ側に亘って、第１側壁１５ＷＳ１と第２側壁１５ＷＳ２に繋げて形成している。
基端基端側壁１５ＷＰＥは、基端ＰＥ側から上部Ｕ側に亘って、第１側壁１５ＷＳ１と第２側壁１５ＷＳ２に繋げて形成している。
【００４３】
チューブ保持部１５は、第１側壁１５ＷＳ１、第２側壁１５ＷＳ２、末端側壁１５ＷＤＥ及び基端側壁１５ＷＰＥにより、チューブ保持空間ＳＰを形成している。
本発明のクランプ１は、以上のように第１側壁１５ＷＳ１と第２側壁１５ＷＳ２に加えて、末端側壁１５ＷＤＥ及び基端側壁１５ＷＰＥにより、さらにいえば、上部Ｕ側から末端ＤＥ側からに亘って、かつ上部Ｕ側から基端ＰＥ側からに亘って、チューブＴを保持することができる。
【００４４】
第１側壁１５ＷＳ１は、少なくとも一箇所以上に側壁開口ＯＳを形成している。
例えば、図１１〜図１２では、いわゆる「略楕円状」（または略長円状ともいう）の側壁開口ＯＳを二箇所形成している。
下部Ｄ側の側壁開口ＯＳは、下部Ｄから上部Ｕ方向にみて、基部側チューブ押圧部突部１５Ｔを形成した位置と実質的に同じ高さの位置に形成している。
これによりチューブＴは、上部Ｕ側から可動部側チューブ押圧部突部６Ｔ、下部Ｄ側から基部側チューブ押圧部突部１５Ｔによって押圧し、流路を閉塞する際に、チューブの第１側部Ｓ１側と第２側部Ｓ２側の壁面は、チューブ保持空間ＳＰから二個の側壁開口ＯＳ方向へ広がることができる。
【００４５】
すなわちチューブＴは、第１側壁１５ＷＳ１と第２側壁１５ＷＳ２に接触して、第１側壁１５ＷＳ１と第２側壁１５ＷＳ２により、第１側部Ｓ１方向と第２側部Ｓ２方向に広がるのを阻害されることなく確実に流路を閉塞することができる。
また二個の側壁開口ＯＳにより、チューブ保持部１５の外からチューブＴの流路の閉塞状態、チューブＴ内の流体（血液、薬液等）の流れを確認（視認）することができる。
第２側壁１５ＷＳ２にも第１側壁１５ＷＳ１と同様に、少なくとも一箇所以上の側壁開口ＯＳを形成する。
チューブ保持部１５は、上部Ｕ側に上部開口ＯＵを形成している。
上部開口ＯＵは、第１側壁１５ＷＳ１と第２側壁１５ＷＳ２の上部Ｕ側で、かつ末端側壁１５ＷＤＥの基端ＰＥ側と、基端側壁１５ＷＰＥの末端ＤＥ側との間に形成している。
末端側壁１５ＷＤＥは、第二末端開口ＯＤＥ２を形成し、基端側壁１５ＷＰＥは第二基端開口ＯＰＥ２を形成している。
【００４６】
クランプ１１は、クランプ１と同様に、図１１から図１２に示すように、可動部３の上部Ｕ側に押圧補助部２０を形成している。  
押圧補助部２０は、第１側部Ｓ１方向から見て、下部Ｄから上部Ｕ方向に立ち上る、いわゆる「略四角形状」に形成している。
押圧補助部２０は、天面部２０ＰＬを有し、当該天面部２０ＰＬの基端側ＰＥに天面部２０ＰＬから基端側ＰＥに下る基端側傾斜２０ＴＰＥを有し、天面部２０ＰＬの末端側ＤＥに略垂直に垂下する末端側壁２０ＷＤＥを有する。
押圧補助部２０の技術的な意義等は、クランプ１（第一実施例）の押圧補助部１０と実質的に同じであるから詳細な説明は省略する。クランプ１１は、押圧補助部２０に代えて、図６（Ａ）、（Ｃ）〜（Ｉ）の押圧補助部１０を採用することができる。
【００４７】
クランプ１１は、チューブＴを閉塞する際には、図１４の矢印〈１〉〜〈５〉の順序で行う。
（１）操作する者（医師または看護士）は、（クランプ１（第一実施例）の図７と同様に）押圧補助部２０の基端側傾斜２０ＴＰＥを親指、基部２の末端ＤＥ側〜末端連結部７ＤＥの下部Ｄを人差指で保持し、親指で、斜め方向（末端ＤＥ‐下部Ｄ方向）に力を加える。（図１２矢印〈１〉方向参照。）
（２）可動部側係合部１８は、矢印〈２〉のように、上部Ｕ−末端ＤＥ方向から基部側係合部１９を押して、基部側係合部１９を矢印〈３〉のように下部Ｄ−末端ＤＥ方向へ押して変形させる。
（３）可動部側係合部１８を矢印〈４〉のように下部Ｄ側に押して、可動部側係合部１８の可動部側係合補助部１８Ｈが、基部側係合壁１９Ｗを乗り越えたら、矢印〈５〉のようにさらに末端ＤＥ側におして、可動部側係合部１８の可動部側係合補助部１８Ｈを、基部側係合補助部１９Ｈに係合する。
【００４８】
本発明のクランプ１１は、基端側傾斜２０ＴＰＥがいわゆる「押圧部」となり、これにより、図１４の矢印〈２〉のように上部Ｄ−基端ＰＥ方向（斜め方向）から可動部側係合部１８が、基部側係合部１９を矢印〈３〉のように下部Ｄ−末端ＤＥ方向（斜め方向）へ押して広げることができる。
この時、可動部側係合部１８の最末端ＤＥ（頂部１８Ｔ）は、基部側係合部１９の頂部１９Ｔに上部Ｕ方向から接触することなく、頂部１９Ｔの下部Ｄ側（頂部下部１９ＴＵ）に接触して、
末端側壁１８ＷＤＥが、基端側壁１８ＷＤＥに接触しながら基部側係合部１９を押して広げる。
このように（斜め方向）から可動部側係合部１８の末端側壁１８ＷＤＥで、基部側係合部１９を（斜め方向）へ押して広げるので、無理に強い力を加える必要はない。
このため図１４の矢印〈４〉、〈５〉への移行も速やかに行うことができる。
以上のように、クランプ１１に挿通したチューブＴの流路を閉塞する際に、クランプ１に強い力を加えなくてもチューブＴを確実に閉塞できる。
【００４９】
以上のように本発明のクランプ１１は、可動部側係合部１８を基部側係合部１９に係合する際に、公知のクランプ１０１のように、無理に強い力を加えなくても、係合しやすくなる。特に指先の力の弱い看護士には歓迎される。
【符号の説明】
【００５０】
１、１１  クランプ
２  基部
３  可動部
５  基部側チューブ押圧部
１５  チューブ保持部
５Ｔ、１５Ｔ  基部側チューブ押圧部突部
６    可動部側チューブ押圧部
６Ｔ  可動部側チューブ押圧部突部
７ＰＥ  基端連結部
７ＤＥ  末端連結部
８、１８  可動部側係合部
８Ｔ、１８Ｔ  頂部
８ＷＤＥ、１８ＷＤＥ  末端側壁
１８Ｇ  ガイド部
１８ＧＳ１  第１側部側ガイド部
１８ＧＳ２  第２側部側ガイド部
１８Ｈ  可動部側係合補助部（凸状）
１８Ｗ  可動部側係合壁
９、１９  基部側係合部
９Ｔ、１９Ｔ  頂部
９ＴＵ、１９ＴＵ  頂部下部
９ＷＰＥ、１９ＷＰＥ  基端側壁
９Ｈ  基部側係合補助部（凸状）
１９Ｈ  基部側係合補助部（凹状）
９Ｗ、１９Ｗ  基部側係合壁
１０、２０  押圧補助部
１０Ｔ、２０Ｔ  頂部
１０ＴＰＥ、２０ＴＰＥ  基端側傾斜
１０ＴＤＥ  末端側傾斜
１０ＷＤＥ、２０ＷＤＥ  末端側壁
２０ＰＬ  天面
ＯＰＥ、ＯＰＥ２  末端側開口部
ＯＤＥ、ＯＤＥ２  基端側開口部
ＯＳ  側部側開口部
ＯＵ  上部開口部
１５   チューブ保持部
１５ＷＳ１  第１側壁
１５ＷＳ２  第２側壁
１５ＷＰＥ  基端側壁
１５ＷＤＥ  末端側壁
【図１】
2015228882.tif 000003
【図２】
2015228882.tif 000004
【図３】
2015228882.tif 000005
【図４】
2015228882.tif 000006
【図５】
2015228882.tif 000007
【図６】
2015228882.tif 000008
【図７】
2015228882.tif 000009
【図８】
2015228882.tif 000010
【図９】
2015228882.tif 000011
【図１０】
2015228882.tif 000012
【図１１】
2015228882.tif 000013
【図１２】
2015228882.tif 000014
【図１３】
2015228882.tif 000015
【図１４】
2015228882.tif 000016
【図１５】
2015228882.tif 000017
【図１６】
2015228882.tif 000018